(57)【要約】【課題】形状が簡単で製造が容易で、しかも金属板を用いて高強度とすることができ、後側への商品の倒れを防止でき、安定して物品棚に載置することが可能な物品棚仕切具を提供する。【解決手段】物品棚の棚板２１上に載置される平面四角形の底板部２と、底板部２から立ち上がった側板部３と、底板部２の後端部から立ち上がった背板部４と、棚板２１の厚さと同等又は幾分長く延びた状態で底板部２の前端部から立ち下がった前板部５と、前板部５から後側に屈曲し、棚板２１の下面方向に延びる舌板部６とを備える。【選択図】図２
2016198204.tif 000002
【特許請求の範囲】
【請求項１】
物品棚の棚板上に載置される平面四角形の底板部と、
前記底板部の一の側端部から立ち上がった側板部と、
前記底板部の後端部から立ち上がった背板部と、
前記棚板の厚さと同等又は幾分長く延びた状態で前記底板部の前端部から立ち下がった前板部と、
前記前板部から後側に屈曲し、前記棚板の下面方向に延びる舌板部と、を備えていることを特徴とする物品棚仕切具。
【請求項２】
請求項１記載の物品棚仕切具であって、
前記棚板への固定を行うためのねじ用孔が前記底板部に形成されていることを特徴とする物品棚仕切具。
【発明の詳細な説明】
【技術分野】
【０００１】
本発明は、商品等の荷物を陳列したり荷物を整頓する物品棚に使用されることにより物品棚を仕切って荷物の整理に用いられる物品棚仕切具に関する。
【背景技術】
【０００２】
物品棚は、商品を整理して並べて店舗等における商品の選択をし易くしたり、倉庫における商品の整頓格納を行うため、複数段の棚板を備えた状態で店舗や倉庫の通路に沿って配置されている。このような物品棚の棚板上に並べられた商品は顧客や作業者によってピックアップされる。
【０００３】
物品棚の棚板には、同種商品が奥行き方向に沿って複数並べられるのが通例であり、顧客や作業者は棚板の最も手前側にある商品を取り出している。又、物品棚への商品の補充は、棚板の手前側から行うのが一般的である。かかる物品棚では、陳列している商品が倒れたり、隣接して並べられている他の商品との混在を防止するため、物品棚仕切具が用いられる。
【０００４】
特許文献１には、従来の物品棚仕切具が開示されている。特許文献１の物品棚仕切具は、物品棚の棚板の前端部に当接する商品前倒れ防止部と、この商品前倒れ防止部から棚板の奥行き方向に沿って延びる商品仕切部とを有したＴ字形状に形成されている。又、商品仕切部には、複数の割れ溝が長さ方向に沿って形成されている。このような構造とすることにより、割れ溝を割って商品仕切部を長さ調整し、商品仕切部の長さを棚板の奥行き長さに合わせることができる。
【先行技術文献】
【特許文献】
【０００５】
【特許文献１】特開平１１-５６５４６号公報
【発明の概要】
【発明が解決しようとする課題】
【０００６】
しかしながら、従来の物品棚仕切具では、商品仕切部に複数の割れ溝を形成する必要があるため、形状が複雑となり、製造が面倒となっている。又、割れ溝は商品仕切部を割るためのものであり、割れ溝を割るためには、物品棚仕切具の全体を樹脂によって形成する必要があるため金属板によって作成することができない。このため強度が不足する問題がある。さらに従来の物品棚仕切具では、商品の後側の倒れを防止することができず、商品の陳列状態が崩れ易いものとなっている。さらに、全体がＴ字形であるところから物品棚の棚板へ載置した状態が不安定ともなっている。
【０００７】
本発明は、このような従来の物品棚仕切部の問題点を考慮してなされたものであり、形状が簡単であり、製造が容易で、しかも金属板を用いて高強度とすることができ、後側への商品の倒れを防止でき、さらには、安定して物品棚に載置することが可能な物品棚仕切具を提供することを目的とする。
【課題を解決するための手段】
【０００８】
本発明の物品棚仕切具は、物品棚の棚板上に載置される平面四角形の底板部と、前記底板部の一の側端部から立ち上がった側板部と、前記底板部の後端部から立ち上がった背板部と、前記棚板の厚さと同等又は幾分長く延びた状態で前記底板部の前端部から立ち下がった前板部と、前記前板部から後側に屈曲し、前記棚板の下面方向に延びる舌板部と、を備えていることを特徴とする。
【０００９】
この場合、前記棚板への固定を行うためのねじ用孔が前記底板部に形成されていることが好ましい。
【発明の効果】
【００１０】
本発明の物品棚仕切具によれば、底板部と、底板部から立ち上がった側板部及び背板部と、底板部から立ち下がった前板部とによって形成されているため、全体が簡単な形状であり、簡単に製造することができる。また、平板状の金属板を用いてプレスすることによって作成できるため、高強度とすることができる。さらに商品の後側への倒れを確実に防止でき、物品棚へのセットも安定して行うことができる。
【図面の簡単な説明】
【００１１】
【図１】本発明の一実施形態の物品棚仕切具の全体を示す斜視図である。
【図２】物品棚へのセット状態を示す斜視図である。
【発明を実施するための形態】
【００１２】
図１は、本発明の一実施形態の物品棚仕切具１を示す。物品棚仕切具１は、底板部２と、側板部３と、背板部４と、前板部５と、舌板部６とによって全体が形成されている。
【００１３】
底板部２は平面四角形の板体によって形成されている。底板部２は図２に示すように、物品棚の棚板２１上に載置されるものであり、底板部２の棚板２１への載置により物品棚仕切具１の全体が棚板２１に支持される。側板部２の面積は、載置される物品棚の棚板２１のサイズに合わせて設定されるものであり、通常の店舗に用いる物品棚の場合には、１０〜２０ｃｍ×１５〜３０ｃｍ程度に設定されるが、これに限定されるものではない。棚板２１に載置されることにより底板部２が棚板２１と広い面積で接触するため、物品仕切具１の全体を安定して棚板２１上に支持させることができる。
【００１４】
側板部３及び背板部４は共に底板部２から立ち上がるように形成される。側板部３は底板部２の４辺の側端部の内、棚板２１上に位置した一の側端部２ａからほぼ直角に屈曲されて立ち上げられている。側板部３は棚板２上に載置される商品が横倒れしたり、横方向にはみ出すことを防止するものであり、これにより隣接して陳列されている他の商品との仕切りができ、商品の混在を防止するように作用する。側板部３の立ち上がり高さは、１５〜３０ｃｍ程度に設定されるが、これに限定されるものではない。
【００１５】
背板部４は底板部２の後端部２ｂから直角状に立ち上がるように形成されている。図示例において、背板部４は側板部３とほぼ同じ高さとなっているが、側板部３よりも低くても高くても良い。背板部４は棚板２上に載置される商品の後側への倒れを防止するものであり、商品の後側への倒れを防止することにより商品を棚板２１の奥行き方向に沿って並べた陳列状態を確実に維持することができ、商品陳列を整然とさせることができる。
【００１６】
前板部５は底板部２の前端部２ｃから立ち下がる方向に直角状に屈曲している。前板部５は底板部２の幅とほぼ同等の寸法で底板部２から立ち下がっているが、底板部２の幅よりも短い寸法でも長い寸法であっても良い。前板部５は物品棚の棚板２１の前面部分と対向するものであり、物品棚の棚板２１の厚さと同等若しくは幾分長くなった状態で底板部２の前端部２ｃから屈曲している。
【００１７】
舌板部６は、前板部５の下端部から後側に直角状に屈曲して物品棚の棚板２１の方向に延びている。舌板部６が前板部５よりも棚板２１の方向に延びることにより、舌板部６は棚板２１の下側に入り込む。これにより底板部２、前板部５及び舌板部６によって棚板２１に係止する鉤状のフック部８が形成される。従って、底板部２を棚板２１上に載置し、前板部５を棚板２１の前面部分に当接させると、舌板部６を有したフック部８が棚板２１に係止する。これにより物品棚仕切具１が棚板２１から外れることがなくなると共に、棚板２１の定位置に停止させることができる。
【００１８】
以上に加えて、この実施形態では、ねじ用孔７が形成されている。ねじ用孔７は底板部２の４隅に近接した位置に形成されている。ねじ用孔７は、物品棚仕切具１を棚板２１に載置した状態でねじ９（図２参照）を貫通させ、棚板２１にねじ込むために用いられるものであり、ねじ込んだねじ９によって物品棚仕切具１を確実に棚板２１に取り付けることができる。又、物品棚仕切具１の倒れを防止することができる。なお、ねじ用孔７は必要がない場合には形成しなくてもよく、形成してあってもねじ９のねじ込みに使用しなくても良い。
【００１９】
図２は、以上の物品棚仕切具１を物品棚にセットした状態を示す。側板部３及び背板部４が底板部２から立ち上がった状態で底板部２を物品棚の棚板２１上に載置し、前板部５を棚板２１の前面部分に当接させる。これにより底板部２、前板部５及び舌板部６からなるフック部８が棚板２１に係止されるため、倒れを防止した状態で棚板２１上にセットすることができる。物品棚仕切具１を棚板２１にセットすることにより、側板部３が隣接する商品との仕切りを行い、背板部４が商品の後側への倒れ及び後側の他の商品との仕切りを行う。このようなセット状態に対し、ねじ９をねじ込むことにより物品棚仕切具１をさらに強固に棚板２１上にセットすることができる。なお、前板部５の前面には、物品棚仕切具１によって仕切られる商品名を印刷したラベル１１を貼り付けることにより他の商品との区別を容易に行うことができる。
【００２０】
以上の物品棚仕切具１は、底板部２に対して側板部３、背板部４、前板部５、舌板部６を屈曲させることにより形成されるものであり、ステンレス等からなる１枚の金属板をプレス加工することにより簡単に製造することができる。金属板を用いることができるため、高強度とすることができる。又、商品の後側への倒れを防止することができ、商品陳列を整然とさせることができる。さらに、底板部２が物品棚の棚板に載置されるため、物品棚へのセットを安定して行うことができる。
【符号の説明】
【００２１】
１  物品棚仕切具
２  底板部
３  側板部
４  背板部
５  前板部
６  舌板部
７  ねじ用孔
２１  棚板
【図１】
2016198204.tif 000003
【図２】
2016198204.tif 000004